【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
コントローラは少なくとも一つの懸濁粒子デバイス（ＳＰＤ）の不透明度を制御し、受信されるコマンドと様々な不透明度値を生じさせる駆動との間のマッピング関係を提供する第一の参照テーブルが前記コントローラ内に記憶されていることを特徴とするコントローラ。
【請求項２】
請求項１に記載のコントローラにおいて、
前記ＳＰＤの不透明度が、このＳＰＤに与えられる電圧および周波数を有する電気信号によって変化され、
前記不透明度が、可変範囲で前記電気信号の周波数を調節することによって変化されるか、前記電圧を変化させることによって変化されることを特徴とするコントローラ。
【請求項３】
請求項１に記載のコントローラにおいて、
上空における太陽の現在位置と、太陽光が前記ＳＰＤに当たる角度とに基づいて、前記ＳＰＤの不透明度を変化させ、
前記太陽の位置および角度は、前記ＳＰＤの物理的な方位、前記ＳＰＤデバイスの緯度および経度によって与えられる地球上の位置、現在の通日および現在時刻に基づいて決定されることを特徴とするコントローラ。
【請求項４】
請求項１に記載のコントローラにおいて、
一日または二日以上における特定の時間において前記ＳＰＤを特定の不透明度に設定するための不透明度値のリストが前記コントローラに記憶されていることを特徴とするコントローラ。
【請求項５】
請求項１に記載のコントローラにおいて、
前記コントローラは、更に手動入力に応じて、前記ＳＰＤの不透明度を制御する手動制御情報に対応することを特徴とするコントローラ。
【請求項６】
請求項２に記載のコントローラにおいて、
前記電圧および周波数の特定の固定された組合せによって、前記ＳＰＤの不透明度が特定の不透明度レベルに設定され、
前記コントローラが、外部温度に基づいて異なる電圧または周波数を選択することによって前記ＳＰＤを同じ特定の不透明度に設定することができることを特徴とするコントローラ。
【請求項７】
請求項２に記載のコントローラにおいて、
光源およびフォトディテクターの組み合わせは前記ＳＰＤの絶対不透明度を決定するために用いられ、前記コントローラは前記ＳＰＤを、受信した前記コマンドによって指定される前記不透明度に設定するために電圧または周波数を自動調整することを特徴とするコントローラ。
【請求項８】
請求項１に記載のコントローラにおいて、
前記ＳＰＤを継続的に動作させるよりも低い消費電力において前記ＳＰＤの不透明度を維持するために、電力生成回路網は一秒あたりいくつかのサイクルにおいて停止させられることを特徴とするコントローラ。
【請求項９】
請求項２に記載のコントローラにおいて、
前記ＳＰＤが、手動の手段、センサー、スイッチ、入力装置、外部システムまたはその他の前記ＳＰＤの不透明度を制御するコントローラによって前記コントローラに指示される不透明度に変化するまで前記コントローラは第一の動作周波数を適用し、そして前記ＳＰＤを前記不透明度に維持するために第二の周波数を適用し、
前記第一の周波数から前記第二の周波数への変化は、即座に生じることができるか、不連続または連続した変数形式の一連の中間周波数を経て生じてもよいことを特徴とするコントローラ。
【請求項１０】
少なくとも一つのＳＰＤの不透明度を制御するコントローラにおいて、
電圧および周波数の特定の固定された組合せによって前記ＳＰＤの不透明度が特定の不透明度に設定され、それに従い前記コントローラが前記ＳＰＤを前記外部温度に基づいて異なる電圧または周波数を選択することによって同じ特定の不透明度に設定することができることを特徴とするコントローラ。
【請求項１１】
少なくとも一つのＳＰＤの不透明度を制御するコントローラにおいて、
光源およびフォトディテクターの組み合わせは前記ＳＰＤの絶対不透明度を決定するために用いられ、
前記コントローラは、手動の手段、センサー、スイッチ、入力装置、外部システムまたはその他の前記ＳＰＤの不透明度を制御するコントローラによって、前記コントローラに指示される不透明度に前記ＳＰＤを設定するために電圧および周波数を自動調整することを特徴とするコントローラ。
【請求項１２】
少なくとも一つのＳＰＤの不透明度を制御するコントローラにおいて、
前記ＳＰＤを継続的に動作させるよりも低い消費電力において前記ＳＰＤの透明度レベルを維持するために、電力生成回路網は一秒あたりいくつかのサイクルにおいて停止させられることを特徴とするコントローラ。
【請求項１３】
少なくとも一つのＳＰＤの不透明度を制御するコントローラにおいて、
前記ＳＰＤが、前記手動の手段、センサー、スイッチ、入力装置、外部システムまたはその他の前記ＳＰＤの不透明度を制御するコントローラによって、前記コントローラに指示される不透明度に変化するまで前記コントローラは第一の動作周波数を適用し、そして前記ＳＰＤを前記不透明度に維持するために第二の周波数を適用し、
前記第一の周波数から前記第二の周波数への変化は、即座に生じることができるか、不連続または連続した変数形式の一連の中間周波数を経て生じてもよいことを特徴とするコントローラ。
【請求項１４】
少なくとも一つのＳＰＤの不透明度を制御するコントローラの使用方法において、
前記方法は、電圧および周波数の特定の固定された組合せによって前記ＳＰＤの不透明度が特定の不透明度に設定され、それに従い前記コントローラが前記ＳＰＤを前記外部温度に基づいて異なる電圧または周波数を選択することによって同じ特定の不透明度に設定することができるステップを備えることを特徴とする方法。
【請求項１５】
少なくとも一つのＳＰＤの不透明度を制御するコントローラの使用方法において、
前記ＳＰＤの絶対不透明度を決定するために用いられる光源およびフォトディテクターの組み合わせが用いられるステップを備えており、
前記コントローラは、手動の手段、センサー、スイッチ、入力装置、外部システムまたはその他の前記ＳＰＤの不透明度を制御するコントローラによって、前記コントローラに指示される不透明度に前記ＳＰＤを設定するために電圧および周波数を自動調整することを特徴とする方法。
【請求項１６】
少なくとも一つのＳＰＤの不透明度を制御するコントローラの使用方法において、前記方法は、前記ＳＰＤの外部温度にかかわらず、前記ＳＰＤが任意の特定の一対の不透明度レベル間で変化する時間を一定に保持するステップを備えることを特徴とする方法。
【請求項１７】
少なくとも一つのＳＰＤの不透明度を制御するコントローラの使用方法において、
前記方法は、前記ＳＰＤを継続的に動作させるよりも低い消費電力において前記ＳＰＤの不透明度を維持するために、電力生成回路網は一秒あたりいくつかのサイクルにおいて停止させるステップを備えることを特徴とする方法。
【請求項１８】
少なくとも一つのＳＰＤの不透明度を制御するコントローラの使用方法において、
前記方法は、前記ＳＰＤが、前記手動の手段、センサー、スイッチ、入力装置、外部システムまたはその他の前記ＳＰＤの不透明度を制御するコントローラによって前記コントローラに指示される不透明度に変化するまで第一の動作周波数を適用するステップと、
そして前記ＳＰＤを前記不透明度に維持するために第二の周波数を適用するステップを、を備えており、
前記第一の周波数から前記第二の周波数への変化は、即座に生じることができるか、不連続または連続した変数形式の一連の中間周波数を経て生じてもよいことを特徴とする方法。
【請求項１９】
請求項１に記載のコントローラにおいて、
このコントローラが複数のＳＰＤを制御し、複数の手動制御デバイスが前記コントローラと連結し、前記ＳＰＤを制御するために、前記コントローラは、少なくとも一つの手動制御デバイスに応答することを特徴とするコントローラ。
【請求項２０】
少なくとも一つの個別のSPDの不透明度を制御する手段を有した、一つ以上のコントローラで構成されるシステムにおいて、
前記少なくとも一つの個別のSPDは第1の温度の状態で、前記少なくとも一つの個別のSPDを第1の固有の温度に設定するために、周波数と電圧を有する第1の固有の電気信号が用いられ、
前記第1の固有の電気信号は前記少なくとも一つの個別のSPDの不透明度を前記第1の固有の不透明度に維持し、
第2の固有の電気信号の適用により、特定の時間間隔の経過後、前記少なくとも一つの個別のSPDは第2の固有の不透明度の状態に導かれ、
前記少なくとも一つの個別のSPDが前記第1の温度とは異なる第2の温度である場合、
さらに、前記一つ以上のコントローラは、前記同じ特定の時間間隔の経過後、
前記少なくとも一つの個別のSPDを第2の固有の不透明度の状態に導くために、前記第1および第2の固有の電気信号とは異なる第3の固有の電気信号を適用できることを特徴とするシステム。
【請求項２１】
システムにおいて、
複数のコントローラを備え、
1つ以上の前記コントローラは少なくとも一つの個別のSPDの不透明度を制御する手段を備え、
それぞれのコントローラはネットワークインターフェイスを備え、
それぞれのネットワークインターフェイスは少なくとも1つのその他のネットワークインターフェイスと通信しており、
少なくとも1つのマスターコントローラが前記コントローラにコマンドを発行し、
前記複数のコントローラは第2のコントローラおよび第3のコントローラを含み、
前記第3のコントローラは一つ以上のSPDを制御し、一つ以上の手動制御デバイスは第4のコントローラと連結しており、前記第3と前記第4のコントローラは通信可能に連結しており、前記第3のコントローラは前記第4のコントローラと連結された少なくとも一つの手動制御デバイスに応答し、それにより一つ以上の個別の前記SPDを制御することを特徴とするシステム。
【請求項２２】
システムにおいて、
複数のコントローラを備え、
1つ以上の前記コントローラは少なくとも一つの個別のSPDの不透明度を制御する手段を備え、
それぞれのコントローラはネットワークインターフェイスを備え、
それぞれのネットワークインターフェイスは少なくとも1つのその他のネットワークインターフェイスと通信しており、
少なくとも1つのマスターコントローラが前記コントローラにコマンドを発行し、
前記複数のコントローラは第1のコントローラと第2のコントローラと第3のコントローラを含み、
前記第3のコントローラは一つ以上のSPDを制御し、一つ以上の手動制御デバイスは第4のコントローラと連結しており、前記第3と前記第4のコントローラは通信可能に連結しており、前記第3のコントローラは前記第4のコントローラと連結された少なくとも一つの手動制御デバイスに応答し、それにより一つ以上の個別の前記SPDを制御することを特徴とするシステム。
【請求項２３】
システムにおいて、
複数のコントローラを備え、
一つ以上の前記コントローラは、少なくとも一つの個別のSPDの不透明度を制御するように機能し、
前記複数のコントローラは第2のコントローラおよび第3のコントローラを含み、
それぞれのコントローラはネットワークインターフェイスで構成され、
それぞれのネットワークインターフェイスは少なくとも1つのその他のネットワークインターフェイスと通信しており、
少なくとも1つのマスターコントローラが、前記少なくとも一つの個別のSPDの不透明度を固有のレベルに設定するためのコマンドを有するメッセージを前記複数のコントローラに発し、少なくとも一つの手動制御デバイスは一つ以上のコントローラと通信可能に連結した前記第3のコントローラと連結しており、一つ以上のコントローラは前記少なくとも一つの手動制御デバイスに応答し、それにより前記少なくとも一つの個別のSPDを制御することを特徴とするシステム。
【請求項２４】
二つ以上のSPDの不透明度を制御するコントローラにおいて、
受信されるコマンドと、固有の電気工学特性を有する第一の種類のSPDに様々な不透明度値を生じさせる駆動との間のマッピング関係を提供する第一の参照テーブルが前記コントローラ内に記憶されており、
受信されるコマンドと、前記第一の種類のSPDとは異なる電気工学特性を有する第二の種類のSPDに様々な不透明度値を生じさせる駆動との間のマッピング関係を提供する第二の参照テーブルが存在し、
前記コントローラは、前記コントローラによって制御されるSPDの種類に応じて駆動値を決定するのに用いるために適切な参照テーブルを選択することができることを特徴とするコントローラ。
【請求項２５】
前記第3のコントローラが前記第2のコントローラ、又は前記マスターコントローラである、請求項21または23のいずれかに記載のシステム。
【請求項２６】
前記第3のコントローラは、前記第2のコントローラ、又は前記マスターコントローラ、又は第1のコントローラであり、
前記第4のコントローラは、前記第2のコントローラ、又は前記マスターコントローラ、又は前記第1のコントローラであり、
前記第3のコントローラは常に前記第4のコントローラとは異なるコントローラである、請求項22に記載のシステム。
【請求項２７】
受信されるコマンドと、様々な不透明度値を生じさせる駆動との間にマッピング関係を提供する第一の参照テーブルが前記１つ以上のコントローラ内に記憶されていることを特徴とする、請求項20に記載の一つ以上のコントローラ。
【請求項２８】
前記少なくとも一つの個別のSPDの前記第1の固有の不透明度が、
第2の電圧と第2の周波数、または前記少なくとも一つの個別のSPDに適用された第2の電圧と周波数を有する前記第2の固有の電気信号を適用することにより、前記第2の固有の不透明度に変更され、
前記不透明度が、可変範囲で前記第2の固有の電気信号の前記第2の周波数を調節することにより、または前記第2の電圧を変化させることにより、前記第1の固有の不透明度から前記第2の固有の不透明度に変更されることを特徴とする、請求項27に記載の一つ以上のコントローラ。
【請求項２９】
前記一つ以上のコントローラが、
前記少なくとも一つの個別のSPDの不透明度を、
手動の手段、センサー、スイッチ、入力装置、外部システムまたはその他の前記少なくとも一つの個別のSPDの不透明度を制御するコントローラによって、前記一つ以上のコントローラに指示される第1の固有の不透明度に設定するために、前記第1の固有の電気信号の周波数を適用し、
そして、前記少なくとも一つの個別のSPDを前記第1の固有の不透明度に維持するために、前記第2の固有の電気信号の前記第2の周波数を適用し、前記第1の周波数から前記第2の周波数への変化は、即時に生じることができるか、不連続または連続した変数形式の一連の中間周波数を経て生じてもよいことを特徴とする、請求項28に記載の一つ以上のコントローラ。
【請求項３０】
前記マスターコントローラが、前記第2または前記第3のコントローラであってもよいことを特徴とする、請求項21または23に記載のシステム。
【請求項３１】
システムにおいて、
複数のコントローラを備え、
少なくとも一つ以上の前記コントローラは、少なくとも一つの個別のSPDの不透明度を制御するように機能し、
それぞれのコントローラはネットワークインターフェイスを備え、
それぞれのネットワークインターフェイスは少なくとも1つのその他のネットワークインターフェイスと通信しており、
少なくとも一つの手動制御デバイスは、前記少なくとも一つ以上のコントローラと通信可能に連結した第2のコントローラと連結しており、前記少なくとも一つ以上のコントローラは前記少なくとも一つの手動制御デバイスに応答し、それにより前記少なくとも一つのSPDを制御することを特徴とするシステム。
【請求項３２】
システムにおいて、
複数のコントローラを備え、
少なくとも一つ以上の前記コントローラは、複数のSPDの不透明度を制御するように機能し、
それぞれのコントローラはネットワークインターフェイスを備え、
それぞれのネットワークインターフェイスは少なくとも1つのその他のネットワークインターフェイスと通信しており、
複数の手動制御デバイスは、前記少なくとも一つ以上のコントローラと通信可能に連結した第2のコントローラと連結しており、
前記少なくとも一つ以上のコントローラは、一つ以上の前記SPDを制御するために、それぞれの手動制御デバイスに応答することを特徴とするシステム。